(57)【要約】【課題】エレベータでの移動、狭いスペースでの移動、収納、設置が可能で、さらに折畳み、展開が容易な回転飲食台を提供する。【解決手段】商品１２を巡回搬送させる巡回路１６が設けられてなる回転飲食台において、回転飲食台を、巡回路１６を備えた基台１８と、基台１８を支持する脚体２０と、から構成し、基台１８をその長さ方向に二分割させ、分割させた各基台１８を、ヒンジ部材３２を介して折畳み自在とすると共に、脚体２０を基台１８に対して傾倒自在に軸支させ、脚体２０下部に移動手段３４を配設させたことを特徴とする、さらに一方の基台１８の脚体２０との軸支部に回転軸４２を配し、この回転軸４２をウォーム減速機からなる回転機構４４により回転させ、各脚体２０間に案内バー４６を出入自在に挿通させたことを特徴とする。【選択図】            図１
2004283572.tif 000002
【特許請求の範囲】
【請求項１】
商品(12)を巡回搬送させる巡回路(16)が設けられてなる回転飲食台において、
回転飲食台を、巡回路(16)を備えた基台(18)と、基台(18)を支持する脚体(20)と、から構成し、
基台(18)をその長さ方向に二分割させ、分割させた各基台(18)を、蝶番等のヒンジ部材(32)を介して折畳み自在とすると共に、
脚体(20)を基台(18)に対して傾倒自在に軸支させ、
脚体(20)下部に移動手段(34)を配設させたことを特徴とする回転飲食台。
【請求項２】
一方の基台(18)の脚体(20)との軸支部に回転軸(42)を配し、この回転軸(42)を回転させるためのウォーム減速機からなる回転機構(44)を、回転軸(42)を配した脚体(20)に配し、
各脚体(20)間に案内バー(46)を出入自在に挿通させたことを特徴とする請求項１記載の回転飲食台。
【発明の詳細な説明】
【技術分野】
【０００１】
本発明は、移動、運搬に適した回転飲食台に関するものである。
【背景技術】
【０００２】
従来、回転飲食台を設置した飲食店において、商品である寿司は、商品皿上に盛付け、回転飲食台上部に配した、無端チェーン上にクレセント型のプレートを軸支させたクレセントコンベアにて、巡回搬送させている。
【０００３】
この回転飲食台を、店舗、催事場、展示場に搬入、設置する際には、工場にて回転飲食台をその長さ方向に複数に分割した後、トレーラー等の運搬車両に積載し、店舗等へ運搬し、現場にて組付け、設置していた。
【０００４】
また、運搬を容易にするため、回転飲食台を小型化し、下部にキャスターを配備させたユニット型回転飲食台もあった（例えば、特許文献１参照）。
【０００５】
【特許文献１】実公平４−８８５４号公報（第２−３頁、第１−４図）
【０００６】
また、回転飲食台をその長さ方向あるいは幅方向に分割し、折畳む方式のものは皆無であった。
【発明の開示】
【発明が解決しようとする課題】
【０００７】
従来は前記の通り、ユニット型回転飲食台は小型であるが、折畳み不能であったため、収納時ばかりでなく移動時にも広いスペースを確保しなければならなかった。
【０００８】
また、エレベータサイズより大きく、大重量であったため、高層ビル、高層ホテル等にて使用する際には、エレベータにて移動させることが不可能であり、窓、階段等を利用して移動させなければならず、さらに移動スペースも広く必要であり、運搬、移動作業性が良くなかった。
【０００９】
また、巡回路の動力電源は２００Ｖを使用していたため、設置場所に２００Ｖ用コンセントの設置が必要不可欠であるばかりか、設置個所が限定されてしまうことが問題であった。
【００１０】
本発明は、エレベータでの移動、狭いスペースでの移動、収納、設置が可能であり、さらに折畳み、展開が容易な回転飲食台を提供することを目的とするものである。
【課題を解決するための手段】
【００１１】
本発明は、商品を巡回搬送させる巡回路が設けられてなる回転飲食台において、回転飲食台を、巡回路を備えた基台と、基台を支持する脚体と、から構成し、基台をその長さ方向に二分割させ、分割させた各基台を、蝶番等のヒンジ部材を介して折畳み自在とすると共に、脚体を基台に対して傾倒自在に軸支させ、脚体下部に移動手段を配設させたことを特徴とするもの、
または、一方の基台の脚体との軸支部に回転軸を配し、この回転軸を回転させるためのウォーム減速機からなる回転機構を、回転軸を配した脚体に配し、各脚体間に案内バーを出入自在に挿通させたことを特徴とするものである。
【発明の効果】
【００１２】
本発明に係る回転飲食台によれば、巡回路を備えた基台と、基台を支持する脚体とから構成し、基台を二分割し、分割した各基台をヒンジ部材を介して折畳み自在とすると共に、脚体を基台に対して傾倒自在に軸支させ、脚体下部に移動手段を配設させてあるため、折畳んだ状態で移動、収納、さらには狭いスペースでの移動、収納、設置、が可能であり、特にエレベータで移動させることができ、移動性に優れている。
【００１３】
加えて、折畳み、展開を、女性でも一人で容易に行うことができ、作業性が大幅に向上し、催し物、展示用、さらには小規模飲食店用として最適である。
【００１４】
また、一方の基台の脚体との軸支部に回転軸を配し、この回転軸を回転させるためのウォーム減速機からなる回転機構を、回転軸を配した脚体に配し、各脚体間に案内バーを出入自在に挿通させることにより、折畳み、展開時に基台、脚体の歪みを防止し、折畳み、展開をよりスムーズに行うことができる。
【発明を実施するための最良の形態】
【００１５】
狭いスペースでの移動、収納、設置を可能とし、折畳み、展開を容易とする目的を、巡回路を備えた基台をその長さ方向に二分割させ、分割させた各基台を、ヒンジ部材を介して折畳み自在とすると共に、脚体を基台に対して傾倒自在に軸支させ、脚体下部に移動手段を配設させること、により実現させた。
【実施例１】
【００１６】
本発明に係る回転飲食台は、図１〜図８に示すように、以下の構成からなるものである。
【００１７】
本発明で使用する回転飲食台は、上方に商品１２、本発明においては寿司を盛付けた商品皿１４を、巡回搬送させる巡回路１６が、設けられてなる基台１８と、基台１８を支持する脚体２０と、から構成されている。
【００１８】
本例において、商品皿１４の商品１２上には、衛生面上、ラップを被設させることが望ましい。
【００１９】
この巡回路１６は、無端チェーン２２上にクレセント型のプレート２４を多数軸支させた、一般にクレセントコンベアあるいはクレセントチェーンと称されるものであり、中央に作業スペースを設けた平面矩形状に形成されている。
【００２０】
巡回路１６の巡回機構は、駆動モータ２６に軸着された駆動スプロケット２８と、無端チェーン２２に張力を付与するため、要所に配備されたテンション部材３０と、の間に無端チェーン２２を掛装し、駆動スプロケット２８により、巡回させる構造である。
【００２１】
また、駆動モータ２６は１００Ｖ用モータであり、このため１００Ｖ用コンセントは通常室内に複数設置してあることから、一般家庭でも容易に設置することができる。
【００２２】
基台１８をその長さ方向に二分割させ、分割させた各基台１８を、蝶番等のヒンジ部材３２を介して折畳み自在としてある。
【００２３】
本例において、ヒンジ部材３２は、外表面の美観を考慮して、両基台２０の内側部にのみ配してある。
【００２４】
脚体２０を基台１８に対して傾倒自在に軸支させ、脚体２０下部に移動手段３４を配設させてある。
【００２５】
本例において、脚体２０は下部を平面視コ字型とし、平面視において基台１８内側にやや突出するが、基台１８を展開させた際の中央のほぼ全域を作業スペースとして利用できる。
【００２６】
また、移動手段３４は、ストッパー付キャスターである。
【００２７】
なお、図中３６は基台１８、脚体２０の外方に被設させる外装カバー体、３８は回転飲食台を折畳んだ際に両脚体２０を止着するため、各脚体２０の側縁に配備した止着具、４０はカウンターを示す。
【００２８】
本発明に係る回転飲食台を、折畳んで運搬、移動させる工程を、以下に詳述する。
【００２９】
まず、外装カバー体３６を取外し、巡回路１６を形成する無端チェーン２２、プレート２４からなるクレセントチェーンそのものを、あるいは両基台１８の折畳み部分（数リンク分）のみ、を取外す。
【００３０】
この際、クレセントチェーンに加えられているテンションを、テンション部材３０により解除することにより、容易にクレセントチェーンそのもの、あるいはその必要部を取外すことができる。
【００３１】
次に、基台１８中央の連結部位を下方に押下げ、ヒンジ部材３２を介して基台１８を徐々に折畳む（図１、図２参照）。
【００３２】
次に、基台１８を垂直状態に折畳んだ後、各脚体２０に配備した止着具３８により両脚体２０を止着する（図４参照）。
【００３３】
この基台１８を折畳む際、分割させた両基台１８間に介在させたヒンジ部材３２、基台１８に傾倒自在に軸支させた脚体２０、および脚体２０下部の移動手段３４であるキャスターにより、両脚体２０が中央にスムーズに移動するため、小さな力で折畳むことが可能となる。
【００３４】
また、回転飲食台を展開、設置するには、まず両脚体２０を止着させた止着具３８を解除し、折畳まれた各基台１８の中央下部を上方に押上げ、基台１８を水平になるまで展開させ、その後、巡回路１６であるクレセントチェーン（無端チェー２２）を掛装、あるいは取外した部分のみを取付け、外装カバー体３６を被設することにより、設置が完了する。
【００３５】
この展開作業においても、ヒンジ部材３２、基台１８に軸支させた脚体２０、および脚体２０下部の移動手段３４により、両脚体２０がそれぞれ外方にスムーズに移動するため、容易に展開させることができる。
【００３６】
上記の如く折畳まれた回転飲食台は、容積が小さくなるばかりか、移動手段３４により移動させるため、狭いスペースでの収納、移動、さらにはエレベータでの移動、が可能となり、催事場、展示場等の施設での催し物や展示用として最適であるばかりか、設置後の移動（設置位置変更）も容易である。
【００３７】
また、巡回路１４を駆動させるためのモータとして１００Ｖモータを使用するため、設置場所が限定されることがなく、会社の社員食堂、から一般家庭に至る、どこでもいつでも設置して回転寿司を楽しむことができる。
【００３８】
また、店舗に設置する場合には、改装等による模様替え時、折畳み、または折畳むことなくそのままの状態で移動させ、模様替え作業を容易に行うことができる。
【００３９】
また、本発明に係る回転飲食台にて商品を提供するには、従前の回転飲食台と同様、商品１２を盛付けた商品皿１４を、巡回路１６に、順次供給し、商品を提供する。
【実施例２】
【００４０】
また、図９〜図１４に、別の例が示してある。
【００４１】
本例は、実施例１の回転飲食台の折畳み、展開作業をより簡易とするため、一方の基台１８の脚体２０との軸支部に回転軸４２を配し、この回転軸４２を回転させるためのウォーム減速機からなる回転機構４４を、回転軸４２を配した脚体２０に配し、さらに折畳み、展開時の歪みを防止し、スムーズに案内するため、各脚体２０間に案内バー４６を出入自在に挿通させたものである。
【００４２】
本例において、回転機構４４は、ウォームホイール４８、ウォームギア５０からなるウォーム減速機により構成されている。
【００４３】
さらに、詳述すると、ウォームギア５０にハンドル５２を軸支させ、ウォームホイール４８、回転軸４２にそれぞれスプロケット５４，５６を軸支させ、両スプロケット５４，５６間にチェーン５８を掛装させ、ハンドル５２を回すことにより、回転軸４２を回転させ、回転飲食台を折畳み、展開させる構造としてある。
【００４４】
このウォーム減速機を採用することにより、ハンドル３５２から手を放しても、ウォームギア５０、ウォームホイール４８により制動力が作用し、回転軸４２の回転が制御され、回転飲食台がむやみに折畳まれ、あるいは展開される危険性がなく、極めて安全に取扱うことができる。
【００４５】
また、案内バー４６は、分割させた各基台の脚体の下部に、各脚体内部にベアリング等の潤滑部材（図示略）を介して、出入自在に挿通してある。
【００４６】
加えて、ヒンジ部材３２を両基台２０の内外両側に配し、脚体２０の下部を平面視コ字型とし、平面視において基台１８内側に突出しないようにし、基台１８を展開させた際の中央の全域を作業スペースとして利用できる。
【００４７】
このように、本例は回転機構４４を備えているため、ハンドル５２を回すことにより女性でも一人で容易に回転飲食台を折畳み、展開させることができる。
【００４８】
加えて、案内バー４６により、折畳み、展開時に、基台１８、脚体２０に発生する歪みを防止し、各基台１８、脚体２０をスムーズに案内することができ、折畳み、展開、移動作業性を永続的に確保することができる。
【００４９】
なお、両例において、巡回路１６はクレセントコンベア、クレセントチェーンに限定されることはなく、無端チェーン、無端ベルト、その他の巡回機構を採用することは自明である。
【００５０】
また、巡回路１４を駆動させるためのモータは１００Ｖモータであるが、２００Ｖモータ、その他の駆動手段を採用することは自由である。
【００５１】
また、移動手段３４はストッパー付キャスターであるが、他の移動機構とすることは自明である。
【００５２】
また、基台１８と脚体２０との間にシリンダー、ジャッキ等の伸縮手段を介在させることにより、基台１８の折畳み、展開をよりスムーズに行うことは自明である。
【００５３】
また、基台１８をその長さ方向に伸縮させ、巡回路１６の全長を変更すること、あるいは他の回転飲食台と連結させて使用すること、は自明である。
【００５４】
また、脚体２０に昇降機構を配備させ、基台１８の高さ調整を可能とすることは自明である。
【００５５】
また、基台１８、脚体２０の形状は本例に限定されることはない。
【００５６】
また、ヒンジ部材３２の機構、取付け位置、個数は本例に限定されることはない。
【００５７】
また、ヒンジ部材３２を基台１８から取外し、折畳んだ回転飲食台を二分割した状態で運搬することは自明である。
【００５８】
また、回転機構４４は回転軸４２を回転させるためウォーム減速機からなるものであるが、他の回転機構、折畳機構を採用することは自由である。
【００５９】
また、展開、設置した回転飲食台に、給水装置、冷蔵庫、冷蔵ショーケース、等の各種厨房設備を配備して使用に供することは自由である。
【００６０】
また、本発明の回転飲食台の形状は、本例に限定されることはない。
【産業上の利用可能性】
【００６１】
本発明に係る回転飲食台にて提供する商品は、寿司に限定されることはなく、揚げ物、煮物、その他の飲食物の提供、さらにくつ、器、生花、等の各種商品展示用としても利用可能である。
【図面の簡単な説明】
【００６２】
【図１】本発明に係る回転飲食台の折畳み作業工程を示す、（イ）は第１工程を示す正面図、（ロ）は第２工程を示す正面図。
【図２】同、第３工程を示す正面図。
【図３】同、折畳んだ状態を示す側面図。
【図４】同、正面図。
【図５】使用状態を示す平面図。
【図６】同、正面図。
【図７】同、側面図。
【図８】同、要部拡大正面図。
【図９】別の例を示す正面図。
【図１０】同、平面図。
【図１１】同、側面図。
【図１２】同、折畳んだ状態を示す正面図。
【図１３】回転機構を示す拡大正面図。
【図１４】同、拡大平面図。
【符号の説明】
【００６３】
１２  商品
１４  商品皿
１６  巡回路
１８  基台
２０  脚体
３２  ヒンジ部材
３４  移動手段
４２  回転軸
４４  回転機構
４６  案内バー
【図１】
2004283572.tif 000003
【図２】
2004283572.tif 000004
【図３】
2004283572.tif 000005
【図４】
2004283572.tif 000006
【図５】
2004283572.tif 000007
【図６】
2004283572.tif 000008
【図７】
2004283572.tif 000009
【図８】
2004283572.tif 000010
【図９】
2004283572.tif 000011
【図１０】
2004283572.tif 000012
【図１１】
2004283572.tif 000013
【図１２】
2004283572.tif 000014
【図１３】
2004283572.tif 000015
【図１４】
2004283572.tif 000016